(57)【特許請求の範囲】
【請求項１】
複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体部と、
当該ハニカム構造体部の上に構築され、プラスチックで成形された空隙を有する多数の雨水貯留ユニットを積み重ねて構成される雨水貯留ユニット集合体と、
当該ハニカム構造体部と当該雨水貯留ユニット集合体の全体を包むシートからなる雨水貯留施設。
【請求項２】
前記シートが不織布である請求項１記載の雨水貯留施設。
【請求項３】
前記ハニカム構造体部と雨水貯留ユニット集合体との間に透水シートを有する請求項１または２のいずれかに記載の浸透型雨水貯留施設。
【請求項４】
前記ハニカム構造体部と雨水貯留ユニット集合体との間にコンクリート基礎層を有する請求項１または２のいずれかに記載の貯留型雨水貯留施設。
【請求項５】
浸透型雨水貯留施設を設置する場所に床付け面を形成して当該床付け面に透水シートを展帳する工程と、
当該透水シートを展帳した床付け面の上にハニカム構造体部を設置する工程と、
当該ハニカム構造体部の上に透水シートを敷設し、当該透水シートの上にサンドマット層４を設置し、当該サンドマット層の上に雨水貯留ユニット集合体を設置する工程と、
当該雨水貯留ユニット集合体の全体を透水シートで包む工程と、
当該雨水貯留ユニット集合体の全体を透水シートで包んだ後に前記雨水貯留ユニット集合体と前記ハニカム構造体部とを包む透水シートを接着して一体化させる工程とからなる浸透型雨水貯留施設の施工方法。
【請求項６】
貯留型雨水貯留施設を設置する場所に床付け面を形成して当該床付け面に透水シートを展帳する工程と、
当該床付け面の上に展帳した透水シートの上にハニカム構造体部を設置し、当該透水シートでハニカム構造体全体を包む工程と、
当該ハニカム構造体部の上にコンクリート基礎層を設置する工程と、
当該コンクリート基礎層の上に、内側から透水シート、遮水シート、透水シートの順に３層のシートで包まれた雨水貯留ユニット集合体を設置する工程と、
当該雨水貯留ユニット集合体の全体を包む透水シートと前記ハニカム構造体部とを包む透水シートを接着して一体化させる工程とからなる貯留型雨水貯留施設の施工方法。
【発明の詳細な説明】
【技術分野】
【０００１】
本発明は、複数の単位部材を水平方向及び鉛直方向に地下に配置して雨水の貯留空間を形成する雨水貯留施設に関する。更に詳しくは、当該雨水貯留施設の基礎に関する。
【背景技術】
【０００２】
雨水貯留施設は、道路、公園、駐車場などの地下に設置され、プラスチック等で成形された多数の単位部材を、水平方向、鉛直方向に多数積み重ねて構成される（特許文献１）。そして、その周囲を透水性及び／または遮水性のシートで覆い、雨水貯留施設の内部の空隙に雨水を貯留するとともに、鉛直方向の荷重を支える構造部材として種々の構造のものが開発されている。このような雨水貯留施設は、雨水貯留空間の空隙率が大きいものが、貯留する雨水の体積が大きくなるため好ましい。
【０００３】
プラスチック等で成形された多数の単位部材を積み重ね構成される雨水貯留施設（以下、単位部材を「雨水貯留ユニット」、単位部材の集合体を「雨水貯留ユニット集合体」という。）は、雨水を貯留するために雨水貯留ユニット集合体の周囲を遮水する貯留型と、雨水貯留ユニット集合体の周囲を遮水せずに雨水を貯留しながら浸透させる浸透型と、雨水貯留ユニット集合体の周囲を部分的に遮水シートで遮水する貯留型と浸透型の混合である貯留浸透型の３種類がある。雨水貯留施設は、主に雨水貯留ユニット集合体からなる貯留槽と付帯施設からなる。
【０００４】
貯留型施設は、雨水貯留機能を確保するため貯留槽（雨水貯留ユニット集合体）の外面と周辺地盤との間に遮水シートを設置する。貯留槽に流入した雨水は、いったん貯留された後、付帯施設の流出接続管から外部へ排出されるが、貯留槽内に貯留した雨水を利用することも可能である。
【０００５】
浸透型施設は、雨水浸透機能を確保するため貯留構造体の外面と周辺地盤との間に透水シートを設置する。貯留槽に流入した雨水は、透水シートを介して貯留槽の外部（土壌）へ浸透する。また、雨水流入量が浸透量より大きい場合には、流入した雨水の一部は付帯施設の流出接続管から外部へ排出される。
【０００６】
プラスチック等で成形された多数の単位部材を積み重ね構成される雨水貯留施設（雨水貯留ユニット集合体）は、プラスチックの比重が水よりも軽いため、雨水を受け入れた際に個々の雨水貯留ユニットに浮力が発生して施設を壊すという欠点があった。また遮水シートで覆われた貯留型施設に於いては、地下水位が上昇した場合に、雨水貯留ユニット集合体全体に浮力が発生して施設を壊すという欠点があった。このような浮力による問題を解決するため、特許文献２では、テーブル状単位部材において平板部に応力対策用柱状部材を取り付け、柱状単位部材を構成し、柱状部材の重量で浮力に打ち勝つことにより、雨水貯留浸透槽、柱状単位部材等に生じる浮力の低減を図るとしている。
【０００７】
一方で、雨水貯留施設に雨水を貯留する場合には、雨水貯留施設の下地盤は貯留水の重量を支えるため十分な支持力を有する必要がある。支持力の確保のために、特許文献３では、複数の樹脂製の充填部材を組立てることによって構成される上部貯留浸透槽と、その下方に設置される鉄筋コンクリート製の下部貯留浸透槽と、その下方の敷設された砕石層から構成される雨水貯留浸透施設を開示している。支持力対策で砕石層を設ける場合には、砕石層の置き換えの厚みを構造計算で算出する手間がかかる上、概して置き換え厚はかなりの厚みになる傾向があった。また、支持力対策で地盤のセメント安定化処理を行う方法もあるが、環境負荷が大きく、セメントの配合率を決めるためにあらかじめ室内試験で行う必要があるなど、手間がかかるというデメリットがあった。
【先行技術文献】
【特許文献】
【０００８】
【特許文献１】特開２０１９−７３８５５号公報
【特許文献２】特開２０１９−１３８０８２号公報
【特許文献３】特開２０１０−３１５４１号公報
【発明の概要】
【発明が解決しようとする課題】
【０００９】
従来のプラスチック等で成形された多数の単位部材を積み重ね構成される雨水貯留施設では、浮力対策として単位部材（雨水貯留ユニット）と重りとして機能する重たい部材と連結する必要があり、施工の際に多くの手間が発生した。また、貯留した雨水の重さ対策としては、プラスチック製の雨水貯留施設（雨水貯留ユニット集合体）の下部に、雨水の重さを支持する構造として厚い砕石層を設置する必要があり、構造が複雑化した。本発明の目的は、プラスチック製の単位部材（雨水貯留ユニット）からなる雨水貯留施設の雨水による浮力対策が簡単で、貯留した雨水の荷重を保持可能な雨水貯留施設を提供することである。
【課題を解決するための手段】
【００１０】
本発明者は、プラスチックで成形された多数の単位部材（雨水貯留ユニット）を積み重ねた構成される雨水貯留施設のプラスチック構造体部分（雨水貯留ユニット集合体）と、
当該プラスチック構造体部の下部に構成される複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体を積層したハニカム構造体部から構成され、
当該雨水貯留ユニット集合体と当該ハニカム構造体部との全体を包むシートで構成されてなる雨水貯留施設が、浮力問題と雨水の荷重問題を解決することを見いだした。
【００１１】
請求項１記載の発明は、
複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体部と、
当該ハニカム構造体部の上に構築され、プラスチックで成形された空隙を有する多数の雨水貯留ユニットを積み重ねて構成される雨水貯留ユニット集合体と、
当該ハニカム構造体部と当該雨水貯留ユニット集合体の全体を包むシートからなる雨水貯留施設である。
【００１２】
すなわち本発明の雨水貯留施設は、展帳したハニカム状立体補強材に中詰材として砕石を入れ構築したハニカム構造体部と、その上に設置される樹脂製の雨水貯留ユニットを多数積み重ねて構築された雨水貯留ユニット集合体と、ハニカム構造体部と雨水ユニット集合体の全体を包むように設置されるシートからなる構造物を発明の要旨とする。
【００１３】
本発明のように砕石を充填したハニカム構造体部と樹脂製の雨水貯留ユニット集合体をシートで包み一体化させることで、雨水や地下水位の上昇により樹脂製の雨水貯留ユニット集合体が浮上することを抑止することができる。すなわち、砕石を充填したハニカム構造体部と樹脂製の雨水貯留ユニット集合体が一体化することで、雨水や地下水位により上部の比重が小さい樹脂製の雨水貯留ユニット集合体に浮力が発生しても、下部の砕石を充填したハニカム構造体部と一体化しているため、浮力を押さえ込むことができる。さらに、雨水を貯留した雨水ユニット集合体の荷重はハニカム構造体部が分散して地盤に伝えることで、地盤の不等沈下等を押さえることができる。さらに砕石を充填したハニカム構造体部は、セルによる拘束効果により従来の砕石層よりも置き換え厚を小さくすることができる。
【００１４】
また、浸透型雨水貯留施設の場合には、樹脂製の雨水貯留ユニット集合体と砕石を充填したハニカム構造体部は連通しているため、雨水貯留ユニット集合体に貯留した雨水は下のハニカム構造体部に移動し、ハニカム構造体部にも雨水を貯留することができ、ハニカム構造体部に溜まった雨水をハニカム構造体部の下部から徐々に地中に浸透させることができる。  
【００１５】
請求項２記載の発明は、
前記シートが不織布である請求項１記載の雨水貯留施設である。
【００１６】
ハニカム構造体部と、雨水貯留ユニット集合体との全体を包むシートは不織布が好適である。不織布は、透水性があり、カーペットのようなクッション効果がある。貯留型雨水貯留施設の場合は不織布で雨水貯留施設全体を包むと、保護シートとして機能し、保護シートの内側に配置される遮水シートの周りの埋め戻し材などによる破損を防止することができる。また、透水型雨水貯留施設の場合には、当該不織布が周辺地盤への透水シートとして機能し、雨水貯留ユニット集合体及びハニカム構造体部に溜まった雨水を徐々に周辺地盤へ浸透させることができる。
【００１７】
請求項３記載の発明は、
前記ハニカム構造体部と雨水貯留ユニット集合体との間に透水シートを有する請求項１または２のいずれかに記載の浸透型雨水貯留施設である。
【００１８】
請求項４記載の発明は、
前記ハニカム構造体部と雨水貯留ユニット集合体との間にコンクリート基礎層を有する請求項１または２のいずれかに記載の貯留型雨水貯留施設である。
【００１９】
浸透型雨水貯留施設の場合は雨水貯留ユニット集合体とハニカム構造体部の境界面に透水シートを設けることで、雨水貯留ユニット集合体に溜まった雨水をハニカム構造体部にも貯留させ、当該ハニカム構造体部からも貯留した雨水を徐々に浸透させることができる。また、貯留型雨水貯留施設の場合は、雨水貯留ユニット集合体とハニカム構造体部の境界面にコンクリート基礎層を設けることで、雨水貯留ユニット集合体に溜まった雨水を漏らさず貯蔵でき、また底部からの漏水を防止することができる。
【００２０】
請求項５記載の発明は、
浸透型雨水貯留施設を設置する場所に床付け面を形成して当該床付け面に透水シートを展帳する工程と、
当該透水シートを展帳した床付け面の上にハニカム構造体部を設置する工程と、
当該ハニカム構造体部の上に透水シートを敷設し、当該透水シートの上にサンドマット層を設置し、当該サンドマット層の上に雨水貯留ユニット集合体を設置する工程と、
当該雨水貯留ユニット集合体の全体を透水シートで包む工程と、
当該雨水貯留ユニット集合体の全体を透水シートで包んだ後に前記雨水貯留ユニット集合体と前記ハニカム構造体部とを包む透水シートを接着して一体化させる工程とからなる浸透型雨水貯留施設の施工方法である。
【００２１】
請求項６記載の発明は、
貯留型雨水貯留施設を設置する場所に床付け面を形成して当該床付け面に透水シートを展帳する工程と、
当該床付け面の上に展帳した透水シートの上にハニカム構造体部を設置し、当該透水シートでハニカム構造体全体を包む工程と、
当該ハニカム構造体部の上にコンクリート基礎層を設置する工程と、
当該コンクリート基礎層の上に、内側から透水シート、遮水シート、透水シートの順に３層のシートで包まれた雨水貯留ユニット集合体を設置する工程と、
当該雨水貯留ユニット集合体の全体を包む透水シートと前記ハニカム構造体部とを包む透水シートを接着して一体化させる工程とからなる貯留型雨水貯留施設の施工方法である。
【発明の効果】
【００２２】
本発明により、雨水貯留ユニット集合体とハニカム構造体部の全体を包むシートで構成されてなる雨水貯留施設が、樹脂製の雨水貯留ユニットの浮力問題と雨水の荷重問題の両方を解決することができる。
【図面の簡単な説明】
【００２３】
【図１】雨水貯留ユニットの三面図である。
【図２】雨水貯留ユニット集合体を設置した際の断面図である。
【図３】ハニカム状立体補強材の展張前の斜視図である。
【図４】ハニカム状立体補強材を展張した際の斜視図である。
【図５】本発明の浸透型雨水貯留施設の断面図である。
【図６】本発明の浸透型雨水貯留施設の床付け面に透水シートを設置する際の断面図である。
【図７】本発明の浸透型雨水貯留施設のハニカム構造体部を設置する際の断面図である。
【図８】本発明の浸透型雨水貯留施設のハニカム構造体部の上に雨水貯留ユニット集合体を設置する際の断面図である。
【図９】本発明の浸透型雨水貯留施設の雨水貯留ユニット集合体に透水シートを被せる際の断面図である。
【図１０】本発明の浸透型雨水貯留施設の雨水貯留ユニット集合体を透水シートで包んだ際の断面図である。
【図１１】本発明の貯留型雨水貯留施設の断面図である。
【図１２】本発明の貯留型雨水貯留施設の床付け面に透水シートを設置する際の断面図である。
【図１３】本発明の貯留型雨水貯留施設のハニカム構造体部を設置する際の断面図である。
【図１４】本発明の貯留型雨水貯留施設のハニカム構造体部の上にコンクリート基礎層及び３層のシートを設置する際の断面図である。
【図１５】本発明の貯留型雨水貯留施設の３層のシートの上に雨水貯留ユニット集合体を設置する際の断面図である。
【図１６】本発明の貯留型雨水貯留施設の雨水貯留ユニット集合体に３層のシートを被せる際の断面図である。
【図１７】本発明の貯留型雨水貯留施設の雨水貯留ユニット集合体を３層のシートで包んだ際の断面図である。
【発明を実施するための形態】
【００２４】
以下、本発明の実施形態について、図面を用いて説明する。なお、すべての図面において、同様の構成要素には同一の符号を付し、適宜に説明を省略する。また、本実施形態は、本発明を実施するための一形態に過ぎず、本発明は本実施形態によって限定されるものではなく、本発明の要旨を逸脱しない範囲で種々の変更実施の形態が可能である。
【００２５】
本発明は、プラスチックで成形された多数の単位部材（以下、「雨水貯留ユニット」という。）を積み重ねた構成される雨水貯留施設のプラスチック構造体部分（以下、「雨水貯留ユニット集合体」という。）と、当該プラスチック構造体部の下部に構成される、複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体部から構成され、当該雨水貯留ユニット集合体と当該ハニカム構造体部との全体を包むシートで構成されてなる雨水貯留施設が、浮力問題と雨水の荷重問題を解決することを見いだしたことを発明の要旨としているが、このような事例はこれまで知られていない。
【００２６】
すなわち本発明は、
複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体部と、
当該ハニカム構造体部の上に構築され、プラスチックで成形された空隙を有する多数の雨水貯留ユニットを積み重ねて構成される雨水貯留ユニット集合体と、
当該ハニカム構造体部と当該雨水貯留ユニット集合体の全体を包むシートからなる雨水貯留施設である。
【００２７】
〔実施形態１〕
実施形態１に於いては、浸透型雨水貯留施設について説明する。
【００２８】
まず、プラスチックで成形された空隙を有する雨水貯留ユニットを用いて構築される雨水貯留施設（浸透型及び貯留型）について説明する。
【００２９】
図１は雨水貯留ユニットの三面図である。雨水貯留ユニット１は、平板部１Ａに複数の突起部１Ｂが林立する構造をしている。平板部１Ａ及び突起部１Ｂには多くの穴が付され、突起部１Ｂ内部は中空構造となっている。雨水貯留ユニット１は多数を組み合わせて積み上げ雨水貯留ユニット集合体２を構築する。
【００３０】
雨水貯留ユニット１の材質は、樹脂製であり、どのような樹脂でも利用可能である。具体的にはオレフィン樹脂製のものが一般的に利用され、とりわけポリエチレン製やポリプロピレン製のものが好適である。
【００３１】
図２は、雨水貯留ユニット集合体を設置した際の断面図である。本実施形態の雨水貯留ユニット１は、積み上げる際に格段の雨水貯留ユニットの平板部１Ａ同士が接するように、上下互い違いにして積み重ねられ、突起部１Ｂが組まれるように、重ねられ雨水貯留ユニット集合体２が構築される。本実施形態で示した樹脂製の雨水貯留ユニット１は一例であり、樹脂製であり雨水貯留施設の施工体積の嵩を確保できればどのような形状のものでもよい。また、雨水貯留ユニットは多くの孔や隙間を有しているほうが、雨水を貯留する際により多くの雨水を貯めることができ、また雨水が流入する際に雨水貯留ユニット内の空気を早く排出することが可能となる。
【００３２】
図２の雨水貯留ユニット集合体２は、通常、地面の下に埋設される。そのため、雨水貯留ユニット集合体２の周囲は土砂等が内部に流入しないようにシート３で取り囲まれている。不織布などからなるシート３（透水シート３Ａ）は、土砂などを通さない一方、水のみを通すので浸透型雨水貯留施設の雨水貯留ユニット集合体２の周囲に設置すると好適である。一方で、貯留型雨水貯留施設の雨水貯留ユニット集合体２の周囲には遮水シート３Ｂが設置される。
【００３３】
また、雨水貯留ユニット集合体２を設置する地盤には、浸透型雨水貯留施設についてはサンドマット層４Ａを、貯留型雨水貯留施設においてはコンクリート基礎層を設けることが好適である。サンドマット層４Ａは、雨水貯留ユニット集合体２の不陸を防止する機能を有し、また浸透型雨水貯留施設では雨水を貯めた雨水貯留ユニット集合体２から徐々に雨水を地面に浸透させる機能を有する。さらにサンドマット層の下には砕石５による層を設けることで、雨水貯留ユニット集合体２の支持力を担保する。
【００３４】
以上が従来の雨水貯留施設の説明である。次に本発明の浸透型雨水貯留施設について説明する。
【００３５】
本発明に使用するハニカム状立体補強材及びハニカム構造体について説明する。
図３は、本願発明に使用するハニカム状立体補強材（３セル）の展張前の斜視図である。図３では３セルのハニカム状立体補強材６を例示したが、ハニカム状立体補強材６のセル数は３セルに限らず何セルあってもよい。以下、当該ハニカム状立体補強材６を展帳し充填材を詰めて作製されるハニカム構造体についても同様である。ハニカム状立体補強材６は、複数の長片状の樹脂又は繊維シートからなるストリップ材７を幅方向に並設し互いに所定の間隔で千鳥状に繰り返し部分的に一定間隔の結合部位９にて結合したものである。このハニカム状立体補強材６は展張方向ａに展張してハニカム状のセル構造を形成する。ハニカム状立体補強材に利用される素材は樹脂が好ましく、樹脂の中でも高密度ポリエチレンが好適である。
【００３６】
ストリップ材７にはセル１０内に溜まる水を排出するために孔８を設ける場合がある。孔の大きさや形状はどのようなものでもよい。孔の数は多い方が良いが、多すぎるとストリップ材の強度が低下するため、ストリップ材の面積の４０％を越えない程度の数がよい。また孔の配置は直列でも千鳥配置でもよい。
【００３７】
図４は、図３で示したハニカム状立体補強材（３セル）を展張した際の斜視図である。ハニカム状立体補強材６を展張すると、ハニカム状のセル１０が形成される。一般的なハニカム状立体補強材６の使用方法としては、ハニカム状立体補強材６のセル１０内にセルの高さまで充填材を充填して締め固めを行うことにより、剛性のあるハニカム構造体を形成させる。充填材としては、砂や土砂、砕石などが利用可能であるが、とりわけ本発明の浸透型雨水貯留施設に於いては、ハニカム状立体補強材６に砕石を充填すると雨水をハニカム構造体のセル内に貯留することができ、好適である。
【００３８】
図５は、本発明の浸透型雨水貯留施設の断面図である。
実施形態１の浸透型雨水貯留施設は、主に、雨水貯留ユニット１を積み重ねて作製した雨水貯留ユニット集合体２と、ハニカム状立体補強材６に砕石５が充填されてなるハニカム構造体が単層または複数層積層されてなるハニカム構造体部１１（図５に於いては、ハニカム構造体部１１は２層積層されたハニカム構造体部１１で構成されている）と、透水シート３Ａより構成される。すなわち図５のように、雨水貯留施設は、上から雨水貯留ユニット集合体２、ハニカム構造体部１１の順に構成され、雨水貯留ユニット集合体２とハニカム構造体部１１の複合体全体を透水シート３Ａが包み込んでいる。透水シート３Ａが全体を包み込むことで、雨水貯留ユニット集合体２とハニカム構造体部１１の複合体全体が一体化され、雨水貯留ユニット集合体２に雨水が流入し浮力が発生した場合に於いても、ハニカム構造体部１１の重みにより雨水貯留ユニット集合体２の浮上を抑制できる。
【００３９】
透水シート３Ａは、織布もしくは不織布のような繊維状のものからなるカーペット状のシートが好適であるが、水を通すシートであればどのようなシートでも利用可能である。また材質は天然繊維であっても合成樹脂製の繊維であってもよいが、好適なのはポリオレフィン製またはポリエステル製などといった熱可塑性樹脂製であり、中でもポリオレフィン製もしくはポリエステル製の不織布が好適である。さらに、ポリオレフィン製不織布の中でもポリプロピレン製不織布が、ポリエステル製不織布の中ではポリエチレンテレフタレート製不織布が好適である。また、熱可塑性樹脂製の透水シートであれば、シート同士を熱溶着して一体化できる。
【００４０】
雨水貯留ユニット集合体２とハニカム構造体部１１の複合体全体を包むなる透水シート３Ａは、一枚のシートで全体を包んでもよいが施工手間の関係上、一般的ではない。そこで、通常は複数の透水シート３Ａを熱溶着などで隙間無く接着する方法が用いられる。透水シート３Ａは想定される雨水貯留ユニット集合体２の浮力に抵抗できる程度の強度を有するもの必要がある。また複数の透水シート３Ａを熱溶着などで隙間無く接着した場合には、接着面も浮力に抵抗できる程度の強度を有する必要がある。また、雨水貯留ユニット集合体２とハニカム構造体部１１の複合体全体を包む不織布は１層でもよいが、複数層にしてもよい。複数層にした場合には、シート全層の合計強度が想定される雨水貯留ユニット集合体２の浮力に抵抗できる程度の強度を有すればよい。
【００４１】
雨水貯留ユニット集合体２とハニカム構造体部１１の境界面には、サンドマット層４や不織布からなる透水シート３Ａを挟んでも良い。これはハニカム構造体部１１の充填材が砕石の場合には、ハニカム構造体部１１の上面に不陸が発生し、雨水貯留ユニット集合体２がうまく施工できないことを防止するためである。また、サンドマット層４や透水シート３Ａを挟むことで、貯留施設の上の土被りの荷重によりハニカム構造体部１１の砕石と直接接する雨水貯留ユニットが破損することを防止することができる。サンドマット層４を挟む場合には、サンドマット層４を構成する砂がハニカム構造体部１１の砕石に移動することを防止するために、不織布からなる透水シート３Ａをサンドマット層４とハニカム構造体部１１の間に設置する。一方でサンドマット層４を省略することも可能である。また不織布からなる透水シート３Ａを設置する際にはアンカーピン１２で仮止めしながら行うとよい。
【００４２】
浸透型雨水貯留施設には必要に応じて、流入管１３、流入槽１４、流入接続管１５、流出接続管１６、排水槽１７、排水管１８などの付帯設備を設置することができる。浸透型雨水貯留施設において雨水は、雨水貯留ユニット集合体２及びハニカム構造体部１１の複合体の周りから雨水貯留ユニット集合体２及びハニカム構造体部１１の複合体内部に浸透する雨水の他、付帯設備の流入管１３、流入槽１４、流入接続管１５を通って雨水貯留ユニット集合体２及びハニカム構造体部１１の複合体に流入される。また雨水貯留ユニット集合体２及びハニカム構造体部１１の複合体の中に溜まった雨水は、雨水貯留ユニット集合体２及びハニカム構造体部１１の複合体の周りか雨水貯留ユニット集合体２及びハニカム構造体部１１の複合体の外に浸透する他、付帯設備の流出接続管１６、排水槽１７、排水管１８を通って雨水貯留ユニット集合体２及びハニカム構造体部１１の複合体から排出される。
【００４３】
次に本発明の浸透型雨水貯留施設の施工手順について説明する。図６〜図１０は本発明の浸透型雨水貯留施設の施工手順を示した図である。なお本施工手順は、透水シート３Ａを１層設置する場合の例を示した。
【００４４】
第１工程は、浸透型雨水貯留施設を設置する場所に床付け面を作製し、シートを展帳する工程である。重機などを用いて地表面より浸透型雨水貯留施設を設置する箇所を掘削し、最深部分を平らになるように整地し、床付け面を形成する。床付け面に透水シート３Ａを展帳する。展帳する透水シート３Ａは１枚のものであるほうが良いが、複数のシート同士の端部を重ね合わせて熱溶着などで接続しても良い。後工程で透水シート３Ａの端部から雨水貯留施設全体を包むように用いるため、図のように床付け面の面積よりもかなり大きめのシートで設置し、床付け面をはみ出し部分３Ａ２は切土面等に仮置きする。図６には、浸透型雨水貯留施設の床付け面に透水シートを設置する際の断面図を示した。
【００４５】
第２工程は、シートを設置した床付け面の上にハニカム構造体部を設置する工程である。展帳した透水シート３Ａの上にハニカム状立体補強材６を展帳しながら設置し、セル１０に砕石５などの充填材を充填し、ハニカム構造体（ハニカム構造体部１１）を形成する。形成するハニカム構造体は、単層でもよいし、複数層でもよい（ハニカム構造体部１１）。ハニカム構造体部１１を設置後に、ハニカム構造体部１１の下に設置した透水シート３Ａのはみ出し部分３Ａ２をハニカム構造体部１１の上部にくるように折りたたみ、ハニカム構造体部１１全体を透水シート３Ａで包むようにする。また別の方法としては、ハニカム構造体部１１の上を覆う透水シート３Ａに別の透水シート３Ａを用い、床付け面の透水シートのはみ出し部分３Ａ２をその上部に設置する雨水貯留ユニット構造体を包むのに使うことも可能である。図７には、浸透型雨水貯留施設のハニカム構造体部を設置する際の断面図を示した。
【００４６】
第３工程は、ハニカム構造体部１１の上に設置した透水シート３Ａの上にサンドマット層４Ａを設置し、当該サンドマット層４の上に雨水貯留ユニット集合体２を設置する工程である。ハニカム構造体部１１の上に設置した透水シート３Ａの上に３ｃｍ厚程度のサンドマット層４Ａを設置することが望ましい。雨水貯留ユニット集合体２は、多数の雨水貯留ユニット１を積み上げて構築する。図８には、浸透型雨水貯留施設のハニカム構造体部の上に雨水貯留ユニット集合体を設置する際の断面図を示した。
【００４７】
第４工程は、雨水貯留ユニット集合体２の全体を透水シート３Ａで包む工程である。雨水貯留ユニット集合体２を設置後、雨水貯留ユニット集合体２の全体を包み込むように透水シート３Ａを設置する。透水シート３Ａは床付け面の透水シートのはみ出し部分３Ａ２で包み込んでもよいし、図１０で図示したように新たな透水シート３Ａ（透水シート（不織布）覆い被せ部分３Ａ３）を雨水貯留ユニット集合体２の上から覆い被せてもよい。新たな透水シート３Ａ（透水シート（不織布）覆い被せ部分３Ａ３）を覆い被せた場合には、床付け面の透水シートのはみ出し部分３Ａ２と熱溶着等で接着する必要がある。図９には、浸透型雨水貯留施設の雨水貯留ユニット集合体に透水シートを被せる際の断面図を示した。
【００４８】
第５工程は、雨水貯留ユニット集合体２の全体を透水シート３Ａで包んだ後に、雨水貯留ユニット集合体２とハニカム構造体部１１とを包む透水シート３Ａを一体化させる工程である。雨水貯留ユニット集合体２とハニカム構造体部１１は、一体化した透水シート３Ａで包まれていることが本発明の要部であるが、現実的には１枚の透水シート３Ａで雨水貯留ユニット集合体２とハニカム構造体部を継ぎ目無く覆うことは現実的ではない。そこで多数の透水シート３Ａを接着することで、雨水貯留ユニット集合体２とハニカム構造体部１１を包む透水シート３Ａの一体化を行う。接着には、熱溶着による方法が好適である。図１０には、浸透型雨水貯留施設の雨水貯留ユニット集合体を透水シートで包んだ際の断面図を示した。
【００４９】
〔実施形態２〕
実施形態２に於いては、貯留型雨水貯留施設について説明する。
【００５０】
実施形態２に於いて使用する雨水貯留ユニット１、雨水貯留ユニット集合体２、ハニカム状立体補強材６、ハニカム構造体（ハニカム構造体部１１）、透水シート３Ａは、実施形態１と共通であるため、説明は省略する。
【００５１】
図１１は、本発明の貯留型雨水貯留施設の断面図である。
実施形態２の貯留型雨水貯留施設は、主に、
雨水貯留ユニット１を積み重ねて作製した雨水貯留ユニット集合体２と、当該雨水貯留ユニット集合体２を包む保護シート３Ｃ、遮水シート３Ｂ、保護シート３Ｃの３層のシート、ハニカム状立体補強材６に砕石５が充填されてなるハニカム構造体が単層または複数層積層されてなるハニカム構造体部１１（図１１に於いては、ハニカム構造体部１１は２層積層されたハニカム構造体で構成されている）と、雨水貯留ユニット構造体とハニカム構造体部全体を包む透水シート３Ａ及び保護シート３Ｃより構成される。すなわち図１１のように、雨水貯留施設は、上から雨水貯留ユニット集合体２、ハニカム構造体部１１の順に構成され、雨水貯留ユニット集合体２とハニカム構造体１１の複合体全体を透水シート３Ａ（ハニカム構造体部１１）及び保護シート３Ｃ（雨水貯留ユニット構造体部２）が包み込んでいる。透水シート３Ａ（ハニカム構造体部１１）及び保護シート３Ｃ（雨水貯留ユニット構造体部２）が全体を包み込むことで、雨水貯留ユニット集合体２とハニカム構造体部１１の複合体全体が一体化され、地下水位が上昇した場合においても、ハニカム構造体部１１の重みにより雨水貯留ユニット集合体２の浮上を抑制できる。
【００５２】
遮水シート３Ｂは、シート状で水を通さないシートであればどのようなシートでも利用可能である。また材質は天然素材でも合成樹脂製のものがよく、好適なのは軟質ポリ塩化ビニル製または加硫ゴム、非加硫ゴム製、オレフィン樹脂製などが挙げられる。特にポリオレフィン製シートであれば、シート同士を熱溶着できる。
【００５３】
雨水貯留ユニット集合体２全体を包む遮水シート３Ｂは、一枚のシートで全体を包んでもよいが施工手間の関係上、一般的ではない。そこで通常は複数の遮水シート３Ｂを熱溶着などで隙間無く接着する方法が用いられる。遮水シート３Ｂは、漏水が起きないように隙間無く接着することはもちろんである。
【００５４】
保護シート３Ｃは、実施形態１で使用した透水シート３Ａと同じようなシートでよく、織布もしくは不織布のような繊維状のものからなるカーペット状のシートが好適であるが、遮水シートを保護できるシートであればどのようなシートでも利用可能である。また材質は天然繊維であっても合成樹脂製の繊維であってもよいが、好適なのはポリオレフィン製またはポリエステル製などといった熱可塑性樹脂製であり、中でもポリオレフィン製もしくはポリエステル製の不織布が好適である。さらに、ポリオレフィン製不織布の中でもポリプロピレン製不織布が、ポリエステル製不織布の中ではポリエチレンテレフタレート製不織布が好適である。また、熱可塑性樹脂製の保護シートであれば、シート同士を熱溶着して一体化できる。また、透水シート３Ａと同じ素材のものを利用した場合には、保護シート３Ｃと透水シート３Ａを熱溶着し一体化できて好適である。
【００５５】
雨水貯留ユニット集合体２とハニカム構造体部１１の複合体全体を包む透水シート３Ａ及び保護シート３Ｃは、一枚のシートで全体を包んでもよいが施工手間の関係上、一般的ではない。通常は複数の透水シート３Ａ及び保護シート３Ｃを熱溶着などで隙間無く接着する方法が用いられる。透水シート３Ａ及び保護シート３Ｃは、想定される雨水貯留ユニット集合体２の浮力に抵抗できる程度の強度を有するもの必要がある。また複数の透水シート３Ａ及び保護シート３Ｃを接着剤や熱溶着などで隙間無く接着した場合には、接着面も雨水貯留ユニット集合体２の浮力に抵抗できる程度の強度を有する必要がある。また、雨水貯留ユニット集合体２とハニカム構造体部１１の複合体全体を包む透水シート３Ａ及び保護シート３Ｃは１層でもよいが、複数層にしてもよい。透水シート３Ａ及び保護シート３Ｃを複数層にした場合には、シート全層の合計強度が想定される雨水貯留ユニット集合体２の浮力に抵抗できる程度の強度を有すればよい。
【００５６】
また、本実施形態２のように、２枚の保護シート３Ｃ（不織布）で遮水シート３Ｂを挟むような構造で、雨水貯留ユニット集合体２を複合体全体で包んだほうがよい。当該構造を採用した場合には、遮水シート３Ｂが２枚の保護シート３Ｃ（不織布）により物理的に保護され、遮水シート３Ｂに穴が空くことによる漏水を防ぐことができる。すなわち、遮水シート３Ｂより内側（雨水貯留ユニット集合体２及びハニカム構造体部１１と接する側）に配置される保護シート３Ｃ（不織布）は、雨水貯留ユニット集合体２とのハニカム構造体部１１との摩擦による破損から遮水シート３Ｂを守る。また、遮水シート３Ｂより外側（土砂と接する側）に配置される保護シート３Ｃ（不織布）は、土砂との摩擦による破損から遮水シート３Ｂを守る。
【００５７】
雨水貯留ユニット集合体２とハニカム構造体部１１の境界面には、コンクリート基礎層４Ｂを挟む。これは雨水貯留ユニット構造体２からの漏水を阻止するためである。またコンクリート基礎層４Ｂと遮水シート３Ｂの間にも保護シート３Ｃを挟むことが遮水シート３Ｂの破損抑止にとっては望ましい。
【００５８】
貯留型雨水貯留施設には必要に応じて、流入管１３、流入槽１４、流入接続管１５、流出接続管１６、排水槽１７、排水管１８、オーバーフロー管１９、オリフィス２０などの付帯設備を設置することができる。貯留型雨水貯留施設において雨水は、付帯設備の流入管１３、流入槽１４、流入接続管１５を通って雨水貯留ユニット集合体２に流入される。また雨水貯留ユニット集合体２の中に溜まった雨水は、付帯設備の流出接続管１６、排水槽１７、排水管１８を通って雨水貯留ユニット集合体２から排出される。
【００５９】
次に本発明の貯留型雨水貯留施設の施工手順について説明する。図１２〜図１７は本発明の貯留型雨水貯留施設の施工手順を示した図である。なお本施工手順は、雨水貯留ユニット集合体を保護シート３Ｃ、遮水シート３Ｂ、保護シート３Ｃの順に３層のシートで包み込むように設置する例を示した。
【００６０】
第１工程は、貯留型雨水貯留施設を設置する場所に床付け面を形成し、シートを展帳する工程である。重機などを用いて地表面より貯留型雨水貯留施設を設置する箇所を掘削し、最深部分を平らになるように整地し、床付け面を形成する。床付け面に透水シート３Ａを展帳する。展帳する透水シート３Ａは１枚のものであるほうが良いが、複数のシート同士の端部を重ね合わせて接着剤による接着や熱溶着などで接続しても良い。後工程で透水シート３Ａの端部からハニカム構造体部１１を包むように用いるため、図１２のように床付け面の面積よりもかなり大きめのシートで設置し、床付け面の透水シートのはみ出し部分３Ａ２は切土面等に仮置きする。図１２には、貯留型雨水貯留施設の床付け面に透水シートを設置する際の断面図を示した。
【００６１】
第２工程は、透水シート３Ａを設置した床付け面の上にハニカム構造体部を設置する工程である。床付け面に展帳した透水シート３Ａ１の上にハニカム状立体補強材６を展帳しながら設置し、セル１０に砕石５などの充填材を充填し、ハニカム構造体（ハニカム構造体部１１）を形成する。形成するハニカム構造体は、単層でもよいし、複数層でもよい（ハニカム構造体部１１）。ハニカム構造体部１１を設置後に、ハニカム構造体部１１の下に設置した透水シート３Ａのはみ出し部分３Ａ２をハニカム構造体部１１の上部にくるように折りたたみ、ハニカム構造体部１１全体を透水シート３Ａで包むようにする。また別の方法としては、ハニカム構造体部１１の上を覆う透水シート３Ａに別の透水シート３Ａを用い、床付け面の透水シートのはみ出し部分３Ａ２をその上部に設置する雨水貯留ユニット構造体を包むのに使うことも可能である。図１３には、貯留型雨水貯留施設のハニカム構造体部を設置する際の断面図を示した。
【００６２】
第３工程は、ハニカム構造体部１１上の透水シート３Ａの上にコンクリート基礎層４Ｂを設置し、当該コンクリート基礎層４Ｂの上に保護シート３Ｃ、遮水シート３Ｂ、保護シート３Ｃの順に３層のシートを設置する工程である。まず、ハニカム構造体部１１の上に設置した透水シート３Ａの上に３ｃｍ厚程度のコンクリート基礎層４Ｂを設置する。そして当該コンクリート基礎層の上に、保護シート３Ｃ、遮水シート３Ｂ、保護シート３Ｃの順に３層のシートを設置する。この際、前記３層のシートのうち、一番下の保護シート３Ｃ（コンクリート基礎層４Ｂに直接接する保護シート３Ｃ）はコンクリート基礎層４Ｂの上面部の外側にはみ出るように設置し、当該保護シート３Ｃの端部がハニカム構造体部１１を包む透水シート３Ａと重なるようする。そして、保護シート３Ｃの端部と透水シート３Ａ接着し、保護シート３Ｃと透水シート３Ａを一体化させる。なお、前記一番下の保護シート３Ｃ（コンクリート基礎層４Ｂに直接接する保護シート３Ｃ）以外の保護シート３Ｃ及び遮水シート３Ｂは、雨水貯留ユニット集合体２の設置範囲よりも大きく余白部分（３Ｂ２、３Ｃ２）を設けておくと、後工程にてシートと接着する際に便利である。図１４には、貯留型雨水貯留施設のハニカム構造体部の上にコンクリート基礎層及び３層のシートを設置する際の断面図を示した。
【００６３】
第４工程は、当該コンクリート基礎層の上に設置した保護シート３Ｃ、遮水シート３Ｂ、保護シート３Ｃからなる３層のシートの上に、多数の雨水貯留ユニット１を積み上げて雨水貯留ユニット集合体２を構築する工程である。図１５には、貯留型雨水貯留施設の３層のシートの上に雨水貯留ユニット集合体を設置する際の断面図を示した。
【００６４】
第５工程は、雨水貯留ユニット集合体２の全体に保護シート３Ｃ、遮水シート３Ｂ、保護シート３Ｃの３層のシートを被せる工程である。図１６には、貯貯留型雨水貯留施設の雨水貯留ユニット集合体に３層のシートをかける際の断面図を示した。
【００６５】
第６工程は、雨水貯留ユニット集合体２の全体を保護シート３Ｃ、遮水シート３Ｂ、保護シート３Ｃの３層のシートで包んだ後に、雨水貯留ユニット集合体２を包む最外層の保護シート３Ｃと、ハニカム構造体部１１とを包む透水シート３Ａを一体化させる工程である。第５工程で保護シート３Ｃ、遮水シート３Ｂ、保護シート３Ｃの３層のシートを雨水貯留ユニット集合体２の上からかぶせた後、保護シート３Ｃ、遮水シート３Ｂ、保護シート３Ｃの３層のシートの余白部分（おのおの保護シート３Ｃ２、遮水シート３Ｂ２、保護シート３Ｃ２）をコンクリート基礎層の上に設置した保護シート３Ｃ、遮水シート３Ｂ、保護シート３Ｃの３層のシートの余白部分（おのおの保護シート３Ｃ３、遮水シート３Ｂ３、保護シート３Ｃ３）と接着して一体化させる。おのおののシートの接着には接着剤や熱溶着などの方法が用いられるが、おのおののシートが隙間無く接着することが重要である。雨水貯留ユニット集合体２とハニカム構造体部１１は、一体化した保護シート３Ｃと透水シート３Ａで包まれていることが本発明の要部であるが、現実的には１枚の保護シート３Ｃと透水シート３Ａで雨水貯留ユニット集合体２とハニカム構造体部を継ぎ目無く覆うことは不可能である。そこで多数の保護シート３Ｃと透水シート３Ａを接着することで、雨水貯留ユニット集合体２とハニカム構造体部１１を包む保護シート３Ｃと透水シート３Ａの一体化を行う。図１７には、貯留型雨水貯留施設の雨水貯留ユニット集合体を３層のシートで包んだ際の断面図を示した。
【産業上の利用可能性】
【００６６】
本発明を利用することで、雨水貯留ユニット集合体とハニカム構造体部との全体を包むようにシートで構成されて一体化されてなる雨水貯留施設が、樹脂製の雨水貯留ユニットの浮力問題と雨水による荷重問題の両方を解決することができる。
【符号の説明】
【００６７】
１    雨水貯留ユニット
１Ａ    平板部
１Ｂ    突起部
２    雨水貯留ユニット集合体
３    シート
３Ａ    透水シート
３Ａ１  透水シート床付け部分
３Ａ２  透水シートはみ出し部分
３Ａ３  透水シート覆い被せ部分
３Ｂ    遮水シート
３Ｂ１  遮水シート床付け部分
３Ｂ２  遮水シートはみ出し部分
３Ｂ３  遮水シート覆い被せ部分
３Ｃ    保護シート
３Ｃ１  保護シート床付け部分
３Ｃ２  保護シートはみ出し部分
３Ｃ３  保護シート覆い被せ部分
４Ａ  サンドマット層
４Ｂ  コンクリート基礎層
５    砕石
６    ハニカム状立体補強材
７    ストリップ材
８    孔
９    結合部位
１０    セル
１１    ハニカム構造体部
１２    アンカーピン
１３    流入管
１４    流入槽
１５    流入接続管
１６    流出接続管
１７    排水槽
１８    排水管
１９    オーバーフロー管
２０    オリフィス
５０    土かぶり
５１    地表面
ａ    展張方向
【要約】
【課題】
本発明の目的は、プラスチック製の単位部材（雨水貯留ユニット）からなる雨水貯留浸透施設の雨水による浮力対策が簡単で、貯留した雨水の荷重を保持可能な雨水貯留浸透施設を提供することである。
【解決手段】
複数の長片状の樹脂又は繊維シートからなるストリップ材を幅方向に並設し互いに所定の間隔で千鳥状に繰り返し部分的に接合し、前記幅方向と直交する方向に展張することによってハニカム状のセルを形成するハニカム状立体補強材に砕石を充填してなるハニカム構造体部と、
当該ハニカム構造体部の上に構築され、プラスチックで成形された空隙を有する多数の雨水貯留ユニットを積み重ねて構成される雨水貯留ユニット集合体と、
当該ハニカム構造体部と当該雨水貯留ユニット集合体の全体を包むシートからなる雨水貯留施設。
【選択図】図５【図１】
0006777831.tif 000002
【図２】
0006777831.tif 000003
【図３】
0006777831.tif 000004
【図４】
0006777831.tif 000005
【図５】
0006777831.tif 000006
【図６】
0006777831.tif 000007
【図７】
0006777831.tif 000008
【図８】
0006777831.tif 000009
【図９】
0006777831.tif 000010
【図１０】
0006777831.tif 000011
【図１１】
0006777831.tif 000012
【図１２】
0006777831.tif 000013
【図１３】
0006777831.tif 000014
【図１４】
0006777831.tif 000015
【図１５】
0006777831.tif 000016
【図１６】
0006777831.tif 000017
【図１７】
0006777831.tif 000018